(57)【要約】【課題】  ゴルフのアイアンクラブでダウンブローに打ち込む場合、手首や親指及び腕等への衝撃を緩和し、かつ打ち込んだ時にダフリの有無やダフリの位置を確認できる機能を持った練習マットを提供すること。【解決手段】  練習マット１を傾斜させることにより家庭や練習場でダウンブローショット練習を行うことを実現するもので、練習マット１を傾斜する弾性体の台で支え、前記マット１の上方後部で、かつダフリ認識ピース６の前端部近傍にゴルフボールの位置決め用凹み５を設け、前記ダフリ認識ピース６の厚さは、前記練習マット１上に設けた人工芝面と段差が生じ無い程度の厚さを有することにより、ゴルフのアイアンクラブでダウンブローに打ち込む場合、手首や親指及び腕等への衝撃を緩和し、かつ打ち込んだ時にダフリの有無やダフリの位置を確認できる機能を持った練習マットとしての認識機能付きダウンブローショット練習器具を提供する。【選択図】図１
2018007994.tif 000002
【特許請求の範囲】
【請求項１】
下方先端部から上方後端部に向かう勾配を有する弾性体の傾斜台で支えられたゴルフ練習用マットの後端部に着脱自在のアイアンヘッドのダフリ認識ピースを設け、前記マットの上方後部で、かつダフリ認識ピースの前端部近傍にゴルフボールの位置決め用凹みを設けたことを特徴とするダフリ認識機能付きダウンブローショット練習器具。
【請求項２】
前記ダフリ認識ピースは、ゴルフ練習用マットの後端部に設けた平面段差部に着脱自在に遊嵌され、前記ダフリ認識ピースの厚さは、前記練習マット上に設けた人工芝面と段差が生じ無い程度の厚さを有することを特徴とする請求項１記載のダフリ認識機能付きダウンブローショット練習器具。
【発明の詳細な説明】
【技術分野】
【０００１】  本発明は、ゴルフのアイアンクラブを使用したダウンブローの打ち込みに際し、手首や親指及び腕等への衝撃を緩和すると共にダフリの有無やダフリ位置を確認できる機能を持ったゴルフの練習マットに関するものである。
【背景技術】
【０００２】  アマチュアゴルファーにとって、実際のラウンドでダウンブローショットを打つことは目標の１つであり、打つ事が出来れば大きな楽しみとなるものである。【０００３】  ダウンブローショットは、アイアンヘッドがボールを捉えた後、アイアンヘッドが地中に潜り込み、芝生を四角くかきとるショットである。従って、一般家庭では、芝生を剥ぎ取ってしまうダウンブローショット練習を継続的に行うことは難しい。【０００４】    練習マットは長さの短い人工芝をゴムマットに密に植えつけた構造の為、ダウンブローに打つとアイアンヘッドがボールの赤道から下の部分に接触した後にアイアンヘッドが練習マットにぶつかり練習マット上を水平に滑った後上方に振り抜かれ、ダウンブローショットにならない。
練習マットにアイアンヘッドがぶつかれば、マットからの反発力で手首、親指や腕を傷める懸念がある。
これを避けるため、練習マットでは、最下点が練習マットの人工芝面になるようにスウィングする為、コースとは異なるスウィングとなる。【０００５】  実際のコースでは、ボールは程度の差はあるが芝生に沈み込んでおり、芝生面を最下点とするスウィングをすると、エッジが芝生に潜り込んだ後にフェースがボール位置に達する為、ボールとフェースの間に芝生が挟まり正確なショットにならない。又は芝生面が最下点となるようにスウィングするとボールの下半分にアイアンヘッドのエッジ部分が当たる為、トップ気味の打球となり正確な距離感が出ない。これを避けるためには、アイアンヘッドのフェース面をボールの芝生の上に出ている位置とボールの赤道の間に当てた後にアイアンヘッドが芝生に潜り込んでいくように打たなくてはならない。すなわち、スウィングの最下点がボールの左側で、かつ芝生の下になるように打つ必要がある。このようなスウィングによるボールの打ち方をダウンブローショットといい、練習場とは異なるスウィングである。【０００６】  また、練習マットでは、アイアンヘッドがボールに当たる前に人工芝に当たる「ダフリショット」になっても、アイアンヘッドが人工芝面を滑ってボールに当たるので、結果的に打球があたかもナイスショットのような弾道になり、自分がダフっている事が認識できないまま、正しいスウィングをしているものと思い込んでしまう事がある。【０００７】  さらにダフっている位置がボールのどのくらい手前の位置かわからない為、ダフリショットをしないスウィングフォームを確認することが難しく、アマチュアのミスショットがなかなか減少しない一因と考えられる。【０００８】  合成ゴム等の基盤に人工芝を植え込んだ練習マットでダウンブローに打つとアイアンヘッドが基盤に激突し、衝撃により手首、親指や腕を痛める可能性がある。その為、練習マットでの練習では人工芝面が最下点となるようにスウィングする。その結果、従来の練習マットでは実際のコースで必要なダウンブローショットの練習が出来ないという問題がある。【０００９】  また、練習マットは、ダフリによりアイアンヘッドがボールの手前を打つとアイアンヘッドが人工芝面を滑った後ボールに当たるので、ダフっている事が認識できず正しいスウィングをしていると思い込んでしまう事がある。さらにダフり位置がわからない場合、スウィングフォームの修正結果が確認できない為、ダフリショットに悩み続けるという問題もある。【００１０】  ゴルフ練習用の練習マットは、以下に記載するように、いろいろな発明・考案が知られている。例えば特許文献１においては、砂層の上にマットを置き、マットの端部にボールを置いてダウンブローの練習を行う打席装置が開示されているが、ダウンブローショットによりアイアンヘッドが沈み込む部分を人工芝から砂に替える事により実現したもので、ゴルフ練習場の打席装置向けに開発されたものであって、家庭で簡単に利用できるものではない。【００１１】  特許文献２では、ゴルフ練習場等の打席の床部分に取り付けたマットが、アイアンショット時に前方に移動し、手首への衝撃を緩和し、その後反発物によりもとの状態に戻る構造のゴルフ練習マットが示されているが、これはマットの水平移動により���撃を弱めるものである。【００１２】  特許文献３においは、実際に近い打感と手首への衝撃を解消する為、ゴルフ練習場の打席床に、下から砂層、プラスチック発泡体、砂と鋸屑の混合物シート、マットを重ねた構造のものが開示されており、打席床の材質を工夫することにより手首等への衝撃を緩和するものであるが、簡便さにかける。【００１３】  特許文献４においては、ゴルフボールにアイアンヘッドが当たった後、アイアンヘッドが練習マットを下方に押し下げる事によりボールを置いた位置より下方にアイアンヘッドが沈み込める構造のものであって、水平な練習マットをアイアンヘッドにより押し下げる事を目的とするものである。なお、この特許文献４は固定マット部分と押し下げ可能なマットの二つの部分からなり、ボールは両者の境目に置いてボールを打つものであり、ダフリショットになった場合は、固定部分の練習マットにアイアンヘッドが当たる為、手首、親指や腕等への衝撃は従来の練習マットのままであり、さらに正確に打つことを前提にして打ち込むと、従来の練習マットに比べ一層の力で打ちこむ危険性があり、より大きな衝撃を手首等の与える恐れがある。【００１４】  特許文献５では、ダフリショットの打ち込み位置を可逆性示温顔料により確認するのであり、ヘッドと人工芝面との接触位置を正確に知ることができるが、ダフリ確認ピースの動きに基づきダフリの有無を判断する事はできない。【００１５】  特許文献６においては、ダフリショットをしても、ヘッドが人工芝面をすべってボールにあたることが無いようにボールを置く位置の手前に練習マットを横断する「畝」を設置する方法開示されているが、畝に近接してボールを置く事により正確なアイアンショットの打ち込みの練習することを目的としており、ゴム製の畝は動かない為、ダフってヘッドが畝に衝突すると、畝が無い場合に比べてより大きな衝撃が発生する恐れがある。
【先行技術文献】
【特許文献】
【００１６】
【特許文献１】特開平１１−１３７７５７号公報
【特許文献２】特開２００１−３５３２４８号公報
【特許文献３】特開２００２−１９１７４２号公報
【特許文献４】特開２００５−２７８７２９号公報
【特許文献５】実開平５−８４３６１号公報
【特許文献６】実用新案登録第３１５８７１８号公報
【発明の概要】
【発明が解決しようとする課題】
【００１７】  本発明は、前記公知文献には記載されていない構成により、ゴルフのアイアンクラブでダウンブローに打ち込む場合、手首や親指及び腕等への衝撃を緩和し、かつ打ち込んだ時にダフリの有無やダフリの位置を確認できる機能を持った練習マットを提供することを目的とするものである。
【課題を解決するための手段】
【００１８】  本発明は、練習マットを傾斜させることにより家庭や練習場でダウンブローショット練習を行うことを実現するもので、練習マットを弾性体の台もしくは板状、棒状又はスプリング状のバネ材（以下弾性体等という）で支え、地面に対し練習マットを傾斜させることを主な特徴とするものである。つまり、下方先端部から上方後端部に向う勾配を有する弾性体の傾斜台で支えられたゴルフ練習用マットの上方後端部に着脱自在のアイアンヘッドのダフリ認識ピースを設け、前記マットの上方後部で、かつダフリ認識ピースの前端部近傍にゴルフボールの位置決め用凹みを設け、前記ダフリ認識ピースの厚さは、前記練習マット上に設けた人工芝面と段差が生じ無い程度の厚さを有することにより、ゴルフのアイアンクラブでダウンブローに打ち込む場合、手首や親指及び腕等への衝撃を緩和し、かつ打ち込んだ時にダフリの有無やダフリの位置を確認できる機能を持った練習マットとしての認識機能付きダウンブローショット練習器具を提供することができるのである。【００１９】  本発明によれば、傾斜面にボールを置いて打つことにより、アイアンヘッドがボールに当たった後にアイアンヘッドが練習マットに接触し、傾斜した練習マット面に沿ってアイアンヘッドが下方に沈み込んでいく為、水平に置いた練習マットに比べ手首や指等への衝撃をより少ない状態で、ダウンブロー軌道と同様の軌道で打つことができる。さらに、アイアンヘッドが練習マットに接触した際は、練習マットの下に傾斜により確保した三角形の空間がある為、練習マットの撓みと弾性体等の圧縮により、衝撃が大きく緩和され、手首、親指や腕等への影響を少なくすることができる。また練習マットと弾性体等の復元力によりヘッド通過後、練習マットは速やかに元に戻り、繰り返してアイアンショットの練習を行うことができる。【００２０】  また、本発明は、練習マット上のボールを置く位置の後方に短冊形のダフリ確認ピースを置き、ダフリショットの有無を確認することができる。すなわち、人工芝に窪みを作り、ダフリ確認ピース表面が人工芝面と同じ高さになるように置く。これはテークバック時にアイアンヘッドがダフリ確認ピースに接触しない為である。ダフリ確認ピースをボールの後に置く事により、ボールに当たる前にダフリ確認ピースにアイアンヘッドが当たるとダフリ確認ピースが前方に飛ばされダフリショットになったことが確認できる。また、ダフリ確認ピース端部とボールとの間隔を調整することにより、打ち込んだ位置を判断できる。
【発明の効果】
【００２１】  本発明は、前記構成により、傾斜した練習マットにアイアンクラブを打ち込むと、アイアンヘッドが傾斜した練習マット面に沿って振り抜かれる為、練習マットと殆ど衝突せずに振り抜かれる。また打ち込み角度が練習マットの角度より大きい場合でも練習マットの撓みと練習マットを支える弾性体等の圧縮により打ち込みによる衝撃を吸収し、手首、親指や腕の衝撃を緩和する効果を有している。この為非力な女性にも抵抗感なくダウンブローショット練習ができ、ターフを取って振り抜くのと同様のスウィングが実現できる効果がある。【００２２】  さらに、本発明は、練習マット上に置いたダフリ確認ピースの直前にボールを置き、正確にアイアンヘッドを打ち込むと、ダフリ確認ピースに当たらずにボールを打つ為、ダフリ確認ピースは振動によりその場で上に飛び上がるのみである。
しかし、ボールより手前に打ち込むと、アイアンヘッドはダフリ確認ピースに当たる為、ダフリ確認ピースはボールともに前方に飛び出し、ダフリショットを打ったことが確認できる。
また、練習マット上のダフリ確認ピースを置く位置とダフリ確認ピースの距離を変化させ、ヘッドがダフリ確認ピースに当たらない位置がわかれば、自分のダフリ位置を知ることができ、正確なアイアンショットを打つフォームを練習することができる等の優れた派生効果を有し、ダフリ確認ピースは紐等により練習マットと繋いでおくと、紛失防止と共に容易に回収することができる。
【図面の簡単な説明】
【００２３】
【図１】本発明のダウンブロー練習器の斜視図である。
【図２】本発明の上面図である。
【図３】本発明の側面図である。
【図４】本発明の使用状態説明図で、練習マットに大きい角度でアイアンヘッドを打ち込んだ時マットが撓んだ状態を示したものである。
【図５】本発明のアイアンヘッドとダフリ確認ピースとボール位置の関係を示すもので、（ａ）はアイアンヘッドをダフリ位置に打ち込む瞬間の状態図で、（ｂ）はダフリ位置にアイアンヘッドを打ち込んだ直後の状態を示している。
【発明を実施するための形態】
【００２４】  以下、本発明を図の実施例に基づき説明するが、以下の説明において同一の機能を有する部材や部位、構成については同一の符号を付し、或いは説明を省略する場合がある。
【００２５】  図１は、本発明のダウンブロー練習器の斜視図で、ダウンブロー練習器はゴム製の基盤部１に人工芝２を植え込んだ練習マットに、練習マットが傾斜するように基盤部１に複数の弾性体の台３を取り付ける。弾性体の取り付けは強力接着剤等、強固に固定できる方法による。弾性体は橋桁のように間隔をあけて設置しても、くさび状の弾性体で練習マット下面全体に設置する方法でも良い。
【００２６】  弾性体は、スポンジゴムやフォームラバーのように弾性率が小さく、復元力が大きく、繰返し伸縮しても弾性率や復元力を保持できる材質を選定する。
弾性体の台の代わりにコイル状のスプリング、板ばねを利用する事も可能である。さらに板ばねの代わりに長いコイルスプリングを利用する方法も考えられる。弾性体の替わりにスプリングや板ばねバネ材を使う場合は、練習マットが自重で下に撓まないような強度や形状を持ち、弾性体を利用する場合と同様に手首、親指や腕等に衝撃を少なくするバネ材を使用し、十分な強度を持つ材料で作った枕台を置いて練習マットを傾斜させる。バネ材と練習マットと枕台の固定は、ねじ、接着剤等強固に固定できる方法による。
【００２７】  バネ材として、金属製の板ばね、竹材、スプリング等を使用する場合は、アイアンクラブを打ちこんだ場合に、弾性体を用いた場合と同様の衝撃になるように調整する。
【００２８】  練習マットの傾斜角度は、練習マットの傾斜が通常のテークバックに支障をきたさない角度（概ね３度程度とする）に設定する。
人工芝２の材質により、置いたボール４が下方に転がる場合は、凹み５を中心線に沿って複数設置する。一番上の凹みの位置はダフリ確認ピース等６の直近とし、ボール４が転がらない深さとする。
ダフリ確認ピース６は厚さ５ｍｍ程度、長さ１０ｃｍ程度、幅はアイアンヘッドのフェース幅に相当する６ｃｍ程度の短冊形とし、ダフリショットにより確実にアイアンヘッドに打ち飛ばされ、かつ繰返しの打ち込みに対し耐久性のある合成ゴムや人工芝等により作製する。
【００２９】  練習マットの人工芝２にはダフリ確認ピース６を人工芝面と同一平面となるように設け、さらにダフリ確認ピース６には練習マットの縦方向の中心線上にダフリ確認ピース６の厚さと同じ深さで、かつ若干広い幅と長さ１５ｃｍ程度の長方形の平面段差部７を設けて平面段差部７の中でダフリ確認ピースとボールとの間隔を調整できるようにする。
平面段差部７の練習マット斜面下方の端部は練習マットの中央より上方に設置し、凹み５を設置する場合の１か所は平面段差部７の中心線上の下方端部の外側直近に設置する。
ダフリ確認ピース６は紐８により練習マットまたは地面等固定部に繋ぎ、周辺へ飛び出しや紛失を防止し、容易に回収できるようにする。
【００３０】  図２は、本発明のダウンブロー練習器平面図（上部）で、ダフリ確認ピース６は、練習マットの中央から上方に設置した平面段差部７の中に置く。凹み５を設置する場合は、練習マットの中心線上で、平面段差部７の下端部下方直近に１か所設置する。凹５は一定の間隔で複数設置することもできる。複数個設置することにより、ダフリ確認ピース６を使用しないで練習することもできる。
【００３１】  図３は、本発明の側面図で、弾性体を橋桁状に設置した場合の側面図を示している。
弾性体は基盤のダフリ確認ピースの下に、傾斜する練習マットが自重で撓まないように、練習マットと同じ横幅の弾性体を、上端及び下端及び中間に、適当な数を均等な間隔で、下に向かって順に高さが低くなるように設置する。
【００３２】  図４は、本発明の使用状態説明図で、練習マットに大きい角度でアイアンヘッドを打ち込んだ時マットが撓んだ状態を示したものであって、アイアンヘッド９を、ダフリ確認ピース６に接触せずに練習マットの傾斜角度より大きい角度でダウンブローに打ち込んだ時、練習マットが撓んだ状態の側面図を示したものである。アイアンヘッドを打ちこんだ後、ダフリ確認ピース６はその位置にとどまる為、練習マットがもとにもどる時、ダフリ確認ピース等６はその場で上下に飛び上がる。練習マットの傾斜角度より大きい場合でも、練習マットの撓みや弾性体等の圧縮により、手首や親指や腕への衝撃が緩和される。
【００３３】  図５は、本発明のアイアンヘッドとダフリ確認ピースとボール位置の関係を示すもので、（ａ）はアイアンヘッドをダフリ位置に打ち込む瞬間の状態図で、（ｂ）はダフリ位置にアイアンヘッドを打ち込んだ直後の状態を示している。
動作を説明すると、先ず、アイアンヘッド９をダフリ位置に打ち込むと、アイアンヘッド９は、最初にダフリ確認ピース６に当たり（ａ）、その後ダフリ確認ピースの上を滑ってボールに当たる。ダフリ確認ピース等６はアイアンヘッド９に引きずられてボールとほぼ同時に前方に飛び出すので、ダフリ位置にアイアンヘッド９が打ち込まれたことがわかる（ｂ）。つまり、図５の（ａ）から（ｂ）の状態となる。
【００３４】  以下に、本発明のダウンブロー練習器の使用方法について説明する。
本発明は、ダウンブローショットの練習とダフリショットの確認が同時にできる発明である。
先ず、ボールをダフリ確認ピース６の下端直近に置き、アイアンヘッドを打ちこむ。正確にスウィングを行った場合は、アイアンヘッド９はダフリ確認ピースに触らずに直接ボール４を打つので、ダフリ確認ピース６はその場で、練習マットの振動により上下動するのみである。
しかし、ダフリショットになった場合は、アイアンヘッド９は最初にダフリ確認ピースを打つので、ダフリ確認ピースとボールが同時に前方に打ち出され、ダフリショットになったことが確認できる。
ボール４をダフリ確認ピース６から離して置くか、ダフリ確認ピース６を斜面上方にずらして置き、アイアンヘッド９を打ち込めば、自分の通常スウィングにおけるダフリ位置を確認することができ、スウィング改造の一助とすることができる。
【００３５】    以上説明したように、本発明は傾斜した練習マットにアイアンクラブを打ち込むと、アイアンヘッドが傾斜した練習マット面に沿って振り抜かれる為、練習マットと殆ど衝突せずに振り抜かれる。また打ち込み角度が練習マットの角度より大きい場合でも練習マットの撓みと練習マットを支える弾性体等の圧縮により打ち込みによる衝撃を吸収し、手首、親指や腕の衝撃を緩和する効果を有している。この為非力な女性にも抵抗感なくダウンブローショット練習ができ、ターフを取って振り抜くのと同様のスウィングが実現できるという従来の練習マットにはない優れた効果を有するものである。
【符号の説明】
【００３６】１  ・・・練習マットのゴム製基盤
２  ・・・練習マットの人工芝
３  ・・・弾性体
４  ・・・ボール
５  ・・・凹み
６  ・・・ダフリ確認ピース
７  ・・・平面段差部
８  ・・・紐
９  ・・・アイアンヘッド
【図１】
2018007994.tif 000003
【図２】
2018007994.tif 000004
【図３】
2018007994.tif 000005
【図４】
2018007994.tif 000006
【図５】
2018007994.tif 000007